(57)【要約】　　　（修正有）【課題】グループ構成の客から受けた注文を入力する時に、一人ずつ順番に入力しなくてもすぐにランダムに各個人毎に注文を入力、及び、修正することができ、かつ、テーブル番号や人数の画面などへの切り替えや、品切れメニュー・日替わりメニューなどの確認も操作１つで確認することを可能とする。【解決手段】グループ構成の客から注文を受ける時に、ヘッダ入力画面において人数を入力すると、その人数分の注文入力画面インデックスが作られて画面上に表示される。一人ずつ順番に注文を入力しなくてもインデックスをタッチすることで、ランダムに入力や修正が可能となる。品切れや残数が少なくなったメニューが存在する場合には品切れインデックスが表示され、メニューの品切れなどが確認できる。また、客の注文メニューの入力中であっても、ヘッダ画面や注文メニューの一覧画面、日替わりメニューやお勧めメニューの一覧画面などの切り替え表示を可能とする。【選択図】　　図４
2004127110.tif 000002
【特許請求の範囲】
【請求項１】
客から受けた注文に係る注文データを入力して無線送信するタッチパネル付入力端末機と、前記タッチパネル付入力端末機から送信された前記注文データを無線受信する無線制御装置と、前記無線制御装置からの前記注文データの受信及び指示データの送信を行い、前記注文データの処理及び管理を行うデータ制御装置とを少なくとも備え、客から受けた注文を処理して管理する注文データ管理システムであって、
前記タッチパネル付入力端末機の表示画面は、少なくとも、テーブル番号または客の人数を入力するヘッダ入力画面、客から受けた注文に係る注文データを入力する注文入力画面、及び前記注文データを確認する注文確認画面が選択可能なように見出しが付与されたインデックス付きの表示となっており、該インデックスを指または入力用ペンでタッチして操作することにより、それぞれの表示画面が切り替わることを特徴とする注文データ管理システム。
【請求項２】
前記タッチパネル付入力端末機の表示画面には、前記ヘッダ入力画面において客の人数を入力すると、これに連動して入力した人数分のインデックスが付いた前記注文入力画面が作成されることを特徴とする請求項１の注文データ管理システム。
【請求項３】
前記客の人数に応じて作成された前記インデックスには、客に係る客情報が表示されていることを特徴とする請求項２に記載の注文データ管理システム。
【請求項４】
前記客情報は、性別または大人、子供別であることを特徴とする請求項３に記載の注文データ管理システム。
【請求項５】
前記タッチパネル付入力端末機の各注文入力画面によって表示される付加情報を示す機能画面のインデックスの内容が変わることを特徴とする請求項１〜４のいずれかに記載の注文データ管理システム。
【発明の詳細な説明】
【０００１】
【発明の属する技術分野】
本発明は、レストラン、居酒屋あるいはホテル等において、客から受けた注文を管理する注文データ管理システム、なかでも特に客から受けた注文を入力するタッチパネル付入力端末機に関する。
【０００２】
【従来の技術】
従来から、レストラン、居酒屋あるいはホテル等で、客から注文された注文データ等を管理するために、注文データ管理システムが使用されている。従来の注文データ管理システムの概略を説明すると、ウエイトレスが客から料理の注文を受けた場合、タッチパネル付ハンディターミナルにテーブル番号や人数等と共に注文を受けた各メニューを入力する。この入力された注文データは、タッチパネル付ハンディターミナルから無線送信される。無線送信された注文データは、店舗内の各コーナー等に設置された無線制御装置によって受信され、各種データの処理や管理等を行うデータ制御装置に出力される。
【０００３】
注文データを受信したデータ制御装置は、注文データを記憶装置に記憶し、調理を指示するための調理指示データ及び料理の提供を指示するための料理提供指示データ、会計を行うための会計データを作成し出力する。調理指示データは、厨房に設置されている表示装置としてのタッチパネル付表示装置で受信され、調理人に調理を指示するための調理指示データが順次表示出力される。設定により、調理指示データは、厨房に設置されている出力端末機としてのレストランプリンタから調理指示用伝票として印字出力することも可能である。
【０００４】
同様にして、ウエイトレスに料理提供を指示するための料理提供指示データは、料理カウンタテーブルに設置されている表示装置としてのタッチパネル付表示装置に表示出力され、設定によっては料理カウンタテーブルに設置されているレストランプリンタから料理提供指示用伝票として印字出力も可能である。会計データは、客室に設置されている出力端末機としてのレストランプリンタから会計用伝票として印字出力される。会計は、会計用伝票を元にＰＯＳで読み取り処理される。（例えば、特許文献１参照）　客からの注文を受ける時、タッチパネル付ハンディターミナルで、まずテーブル番号や人数などの入力を行ってから注文メニューの入力を行う。複数人からなるグループ構成の客の注文は、一人ずつ順番に注文を受け、その都度セットコースの確認など全ての入力を完了させてから次の人の注文の入力に移る。入力が完了しないうちに次の人の注文も入力することができるが、完了していない人の入力に戻る時、１つずつスクロールして完了していないメニューを探して続きから入力を行う。注文の入力が完了した人でも、他の人の注文を受けている時に変更される場合があり、その場合にも１つずつスクロールして該当メニューを探して注文メニューを変更する。
【０００５】
品切れメニューや日替わりメニュー等は、メニュー入力画面において実際にメニューを選択した時に「品切れになっています」「今日の日替わりはハンバーグランチです」といったメッセージが画面に表示されるようになっており、注文される前に客から問い合わせられても答えることができなかった。但し、注文を受ける前に別モードで品切れメニュー一覧などを表示させて確認することはできるので、注文を受ける前に事前に確認をしておかなければならない。テーブル番号や人数などのヘッダ情報の入力を注文を受けている最中に変更する場合には、先頭のヘッダ入力個所までスクロールさせなければならなかった。（例えば、特許文献２参照）
【０００６】
【特許文献１】
特開２００２−００７５４０号公報
【０００７】
【特許文献２】
特開２００１−０７６２５８号公報
【０００８】
【発明が解決しようとする課題】
前記従来の注文データ管理システムのタッチパネル付ハンディターミナルにおいては、客からの注文を受ける時、複数人からなるグループ構成の客の注文は、一人ずつ順番に注文を受け、一人の注文が完了しないうちに次の人の注文を入力した後に完了していない人の入力画面に戻る時や、他の人の注文を受けている時に注文が完了した人のメニューを変更する時など、１つずつスクロールして完了していないメニューや変更したいメニューを探さなければならない。メニューを探している間、客を待たせてしまうことになり、場合によっては、客に不快感やストレスを与えてしまい、テーブル番号や人数の修正も同様に入力画面を先頭までいちいち戻さなければならなかった。また、注文の途中でお勧めメニューや日替わりメニューを尋ねられた時にすぐにそれらのメニューを確認することができなかった。
【０００９】
本発明は、客から注文を受けた時に、受けた順番でなく、一人の人の注文が終わっていなくても、いつでも他の人の注文を受けて入力すること、かつ、注文が終わっていない人の入力画面にすぐに戻られること、注文が終わった人の注文の変更やテーブル番号・人数などの修正もそれぞれの入力画面に即時に切り替えることが可能となる事、品切れメニューがある場合には、注文を受ける時に伝えることができたり、その他のメニュー情報などの各機能設定などが注文を受けている間でも可能となること、会計伝票が別で出てくる個別入力モードで入力をしなくても誰がどのメニューを注文したのかが分かるようにすることを課題とする。
【００１０】
【課題を解決するための手段】
本発明は、上記課題を解決するためになされたもので、客から受けた注文に係る注文データを入力して無線送信する入力端末機であるタッチパネル付ハンディターミナルと、前記タッチパネル付ハンディターミナルから送信された前記注文データを無線受信する無線制御装置と、前記無線制御装置からの前記注文データの受信及び指示データの送信を行い、前記注文データの処理及び管理を行うデータ制御装置とを少なくとも備え、客から受けた注文を処理して管理する注文データ管理システムであって、前記タッチパネル付ハンディターミナルの表示画面は、少なくとも、テーブル番号または客の人数を入力するヘッダ入力画面、客から受けた注文に係る注文データを入力する注文入力画面、及び前記注文データを確認する注文確認画面が選択可能なように見出しが付与されたインデックス付きの表示となっており、該インデックスを指または入力用ペンでタッチして操作することにより、それぞれの表示画面が切り替わることを特徴とするものである。
【００１１】
即ち、レストラン等で使用する注文データ管理システムのタッチパネル付ハンディターミナル、及び、タッチパネル付据置ターミナルにおいて、テーブル番号や人数などのヘッダ入力画面、注文メニューの入力画面、注文メニューの一覧確認画面、各種設定画面のインデックスを設けて画面上に表示にし、そのインデックスをタッチするという１つの操作で画面を切り替えることを可能とし、複数人からなるグループ構成の客から注文を受ける時に、ヘッダ入力画面において人数を入力すると、その人数分の注文入力画面インデックスが作られて画面上に表示されるようにした。
【００１２】
これにより、セットメニューなどで注文が全て決まっていない人がいた場合に決まるまで待つ必要がなく、その人が決まるまでインデックスで他の人の入力画面に切り替えて、注文を入力することが可能となる。同様に注文済みの人に、他の人の注文を受けている時に後から注文を変更したいと言われた場合でもインデックスですぐにその人の入力画面に切り替えることができるので、その人の注文メニューを探す手間が省ける。テーブル番号や人数を修正したい場合においても、いちいち画面をヘッダ入力画面までスクロールさせることもなく、インデックスをタッチすることで即座に切り替え、また、すぐに客の注文入力画面に戻ることが可能となる。
【００１３】
また、メニュー入力画面に切り替えた時、品切れメニューや残数が少ないメニューが存在する場合には、品切れインデックスが表示され、品切れインデックスをタッチすることで品切れ残数メニュー一覧を即座に確認することができる。これにより、注文を受ける前に客に品切れメニューを伝えることができ、また、このインデックスは品切れメニューや残数が少ないメニューがない場合には表示されないため、注文を受けることに集中でき、更には現在の調理場の状態も把握できる。また、例えば、客から注文を受ける時にお勧めメニューや日替わりメニューメニューを尋ねられた時、各機能設定としてお勧めメニュー一覧や日替わりメニュー一覧をインデックスに割り付けておけば、インデックスをタッチして画面を切り替えるだけでその場でメニューを確認することができ、客に対してもすぐに答えることができる。これにより、客からの注文をランダムに入力することが可能となり、客を待たせてイライラさせることもなく、問い合わせを受けたことに対してもその場ですぐに答えることができ、サービス向上につながる。
【００１４】
【発明の実施の形態】
図１は本発明の注文データ管理システムに係る実施の形態を示すハードウエア構成図で、レストランで使用する例を示している。　図２は本発明のタッチパネル付ハンディターミナルの外観図である。図１及び図２を用いて説明する。
【００１５】
図１において、入力端末機としてのタッチパネル付ハンディターミナル１は、ウエイトレスが店舗内で常時携帯する注文入力端末で、その前面にタッチパネル操作が可能な表示部２１と、左サイドにスクロールキー２２を有しており、前記表示部２１の画面上の端にはインデックス表示があり、各インデックスに割り付けられた機能画面が表示される。前記スクロールキー２２は、タッチパネル付ハンディターミナルの動作モード切り替えなどに使用される。
【００１６】
前記表示部２１に表示される各機能画面には、テーブル番号や人数などを入力するヘッダ画面、客から注文を受ける各種料理メニュー一覧画面、客から受けた注文メニューの一覧画面、品切れメニュー一覧やお勧めメニュー一覧、日替わりメニュー一覧などの各種設定画面などがあり、客から注文されたメニューを管理している。更に、前記管理している客からの注文データを電波で送出する機能とデータ制御装置３から無線制御装置５を介してメッセージを電波で受ける機能を有している。また、端末機としてのタッチパネル付据置ターミナル２は、机等に据え置いた状態で使用する注文入力端末で、入力端末機１と同様の機能を有している。
【００１７】
店舗の各コーナー等に複数設置された無線制御装置５は、データ制御装置３と入力端末機１、据置ターミナル２及び無線レストランプリンタ８や無線タッチパネル付表示装置７との間で行われる信号の送受を中継する機能を有する。入力端末機１や据置ターミナル２からの注文データは、無線制御装置５によって無線で受信され、プロトコルの変換等が行われた後にデータ制御装置３に出力される。
【００１８】
データ制御装置３は、無線制御装置５との間での信号の送受、有線レストランプリンタ９やタッチパネル付表示装置６との間での信号の送受、システム全体の管理等を行うもので、受信したデータを記憶させる為に二重化された記憶装置４が接続されている。さらに、各種メニューの情報、各メニューに対応して付与された固有のメニュー番号、無線レストランプリンタ８、有線レストランプリンタ９、タッチパネル付表示装置６、無線タッチパネル付表示装置７等に付与されたシステム固有の装置番号を記憶装置４に記憶し管理している。
【００１９】
また、記憶装置４は、その内部に独立した２台の記憶装置を備えており、両方の記憶装置には常に同じデータが記憶され、一方にトラブルが発生した場合には、他方がバックアップとなるよう構成されている。
【００２０】
一方、客室やカウンタテーブルや厨房に配置されシステム固有の装置番号が付与された無線レストランプリンタ８は、無線制御装置５と電波で双方向通信を行う機能を有しており、無線制御装置５からのデータ信号の印刷機能を有する。また、前記無線制御装置５と電波で双方向通信を行う機能を有する無線レストランプリンタ８の他に、データ制御装置３と伝送ケーブルで接続されて、データ信号の印刷機能を有する有線レストランプリンタ９もある。
【００２１】
客室に配置された各レストランプリンタには、会計伝票が印字出力されるようにシステム固有の装置番号が割り振られ、厨房に配置される場合には調理指示伝票が印字出力され、カウンタテーブルに配置される場合には料理提供指示伝票が印字出力されるように装置番号が割り振られる。会計伝票や調理指示伝票や料理提供指示伝票は、データ制御装置３が入力端末機１や据置ターミナル２から無線制御装置５を介して受信した注文データから作成し、決められたシステム固有の装置番号によりそれぞれのレストランプリンタへ必要な伝票が出力されるようになっている。会計伝票は、客が注文した全ての注文データの調理が完了し、客に提供できた時にウエイトレスが客に渡す。
【００２２】
厨房やカウンタテーブルに配置されシステム固有の装置番号が付与されたタッチパネル付表示装置６は、データ制御装置３と伝送ケーブルで接続され、双方向通信を行い、データ信号の表示機能を有する。また、前記データ制御装置３と伝送ケーブルで双方向通信を行う機能を有するタッチパネル付表示装置６の他に、無線制御装置５と電波で双方向通信を行い、データ信号の表示機能を有する無線タッチパネル付表示装置７もある。
【００２３】
厨房に配置された各タッチパネル付表示装置６や各無線タッチパネル付表示装置７には、調理指示データが表示出力されるようにシステム固有の装置番号が割り振られ、カウンタテーブルに配置される場合には、料理提供指示データが表示出力されるように装置番号が割り振られる。調理指示データや料理提供指示データは、データ制御装置３が入力端末機１や据置ターミナル２から無線制御装置５を介して受信した注文データから作成し、決められたシステム固有の装置番号によりそれぞれのタッチパネル付表示装置６や無線タッチパネル付表示装置７へ必要な指示データが送られるようになっている。
【００２４】
調理が完了してタッチパネル付表示装置６や無線タッチパネル付表示装置７の画面上に表示されている完了した料理に該当する調理指示データをタッチすると、調理完了を示すチェックマークが表示され、少し経ってから指示データが画面から消える。タッチされた時間により調理完了時間データをデータ制御装置３に送信する。調理完了時間データを受信したデータ制御装置３は、受信した調理完了時間データを記憶装置４に記憶して管理する。
【００２５】
また、調理完了となった料理を客に提供した後、タッチパネル付表示装置６や無線タッチパネル付表示装置７の画面上に表示されている提供した料理に該当する料理提供指示データをタッチすると、提供完了を示すチェックマークが表示され、少し経ってから指示データが消える。タッチされた時間により提供完了時間データをデータ制御装置３に送信する。提供完了時間データを受信したデータ制御装置３は、受信した提供完了時間データを記憶装置４に記憶して管理する。指示データが消し込まれたタッチパネル付表示装置６や無線タッチパネル付表示装置７の画面は、次に調理・提供しなければならない指示データから再表示される。
【００２６】
食事を終えた客は会計伝票をＰＯＳ１０に持参して、ＰＯＳ１０において会計伝票をもとに会計処理が行われる。
【００２７】
図３は、タッチパネル付ハンディターミナル１、及び、タッチパネル付据置ターミナル２の客から注文を受ける時のテーブル番号や人数を入力するヘッダ入力画面イメージである。
【００２８】
図４は、タッチパネル付ハンディターミナル１、及び、タッチパネル付据置ターミナル２の客から注文を受ける時に各種料理メニューを入力するメニュー入力画面イメージである。
【００２９】
図５は、タッチパネル付ハンディターミナル１、及び、タッチパネル付据置ターミナル２の品切れ・残数メニューが存在する時の品切れメニュー一覧画面イメージである。
【００３０】
図６は、タッチパネル付ハンディターミナル１、及び、タッチパネル付据置ターミナル２の客から注文を受けて入力した注文データの一覧画面イメージである。
【００３１】
図７は、タッチパネル付ハンディターミナル１、及び、タッチパネル付据置ターミナル２の機能画面の例として、お勧めメニュー一覧画面と日替わりメニュー一覧画面イメージである。
【００３２】
図３及び図４、図５、図６、図７を用いて説明する。客から呼ばれ注文を受ける時、入力端末であるタッチパネル付ハンディターミナル１、及び、タッチパネル付据置ターミナル２の画面をタッチすると、まず図３のヘッダ入力画面が表示される。インデックスは、図３のテーブル番号や人数を入力するヘッダ入力画面のインデックス３２、一人分の注文データを入力する画面のインデックス３３、注文データ確認画面のインデックス３４、設定されている各機能画面のインデックス３５・３６が表示されており、入力画面を切り替えたい場合には、各インデックスボタンをタッチして切り替える。
【００３３】
図３のヘッダ入力画面には、入力するテーブル番号欄３１と、入力欄の下には店舗に割り付けられているテーブル番号一覧ボタン３７が表示されている。テーブル番号一覧３７の下には、人数入力欄３８が表示されている。該当するテーブル番号部をタッチして確定、人数の数値をタッチ入力して確定をすると、入力した人数分の注文データ入力画面インデックス４２が作られて表示される。
【００３４】
人数分の注文データ入力インデックスの中から注文をする人に該当するインデックス４２をタッチすると、図４のメニュー入力画面が表示される。画面には各種料理メニュー一覧４１が表示され、表示されている中から客が注文するメニュー部をタッチして入力を行う。画面の下部にはメニューのページ数４４が表示されており、注文されたメニューが画面に表示されていない場合には、ページ数をタッチしてページを切り替えて表示する。この画面が表示された時に品切れメニューや残数の少ないメニューが存在する場合には、品切れインデックス４３が表示される。ある一人の人の注文入力がすべて終わっていない状態であっても、左側にある他の人の注文データ入力インデックス４２をタッチすることにより、他の人の入力画面に切り替えることも可能である。
【００３５】
注文データ入力インデックス４２をタッチして入力画面を切り替えた時に品切れメニューや残数登録されたメニューが存在する場合には、品切れインデックス４３が表示される。この品切れインデックス４３は存在しない場合には表示されないので、客から注文を受ける時点で品切れメニューがあるかどうかがインデックスが表示されるかされないかだけで判断できる。品切れインデックス４３をタッチすると、図５の品切れメニュー一覧画面が表示される。品切れメニュー一覧画面には、品切れメニュー一覧５１と残数メニュー一覧５２が表示される。品切れ・残数メニュー一覧が１画面でおさまらない場合には画面下部にあるスクロールボタン５３をタッチしてページを切り替えて表示する。このスクロールボタン５３は１画面におさまらない場合にしか表示されない。
【００３６】
全ての客からの注文を入力し終わったら、客に対して入力した注文メニューの確認復唱を行う。この時、注文データ確認インデックス３４をタッチすると、図６の注文データ確認画面が表示される。注文データ確認画面には、画面の先頭にヘッダ入力情報６１とその下に客からの注文データ一覧６２が表示される。客からの注文データが１画面におさまりきらない場合には下部にあるスクロールボタン６３をタッチしてページを切り替えて表示する。このスクロールボタン６３は１画面におさまりきらない場合にしか表示されない。
【００３７】
図６の注文データ確認画面のヘッダ入力情報６１をタッチすると、図３のヘッダ入力に切り替わり、入力データを変更することが可能となる。また、注文データ一覧６２で表示されているメニューをタッチすると、タッチしたメニューの詳細画面が表示され、注文されたメニューの内容を変更することが可能となる。
【００３８】
各機能画面については、例としてお勧めメニュー一覧機能が設定されているものとして説明する。機能画面としてお勧めメニューが設定されている場合、画面にお勧めメニューインデックス３５が表示されている。お勧めメニューインデックス３５をタッチすると、図７のお勧めメニュー一覧が表示される。お勧めメニューとして登録されているメニューの一覧７１が登録されている順番に表示される。お勧めメニューが１画面でおさまりきらない場合には、画面下部にあるスクロールボタン７２をタッチしてページを切り替えて表示する。このスクロールボタン７２は１画面におさまりきらない場合にしか表示されない。
【００３９】
また、どの画面が表示されていても、ヘッダ入力インデックス３２をタッチすればヘッダ入力画面に切り替わり、注文データ入力インデックス３３（４２）をタッチすれば各客の注文データ入力画面に切り替わり、注文データ確認インデックス３４をタッチすれば、タッチするまでに入力された客の注文データ一覧画面に切り替わり、品切れメニュー一覧インデックス４３、お勧めメニュー一覧インデックス３５などの各機能画面インデックス３６をタッチすれば各機能画面に切り替えることが可能である。
【００４０】
客から呼ばれ注文を受ける時、入力端末であるタッチパネル付ハンディターミナル１、及び、タッチパネル付据置ターミナル２に表示された図３のヘッダ入力画面で人数を確定をすると、入力した人数分の注文データ入力画面インデックスが作られる。ある一人の人の注文データを入力したい時は該当のインデックス部をタッチすると図４のメニュー入力画面に切り替わり表示され、注文データの確認を行いたい時には注文データ確認画面インデックスをタッチすると図６の注文データ確認画面に切り替わり表示され、機能画面を表示させたい時は機能画面インデックスをタッチすると図７の機能画面に切り替わり表示される。
【００４１】
例えば、ある一人の人の注文データの入力が終了していない状態でも、インデックスをタッチすることにより、他の人の入力画面に切り替えたり、戻したりすることができる。また、ヘッダ入力画面を表示させてテーブル番号や人数変更などを行ったり、機能画面を表示させて、例えばお勧めメニューや日替わりメニューの確認などをすることも可能である。
【００４２】
【発明の効果】
本発明によれば、客から注文を受ける時に一人ずつ順番に注文を受けて入力しなくても一人ずつの入力画面を切り替えることにより即座に複数人の注文を入力することができる。例えば、一人の人がセットメニューなども含めて全ての注文を決めていなかった場合などはその間に他の人の注文を伺って入力することができる。また、後から変更したいと言われた場合も即座に変更したい人の入力画面に切り替えることができるので笑顔で対応できる。
【００４３】
更に、単品で注文された場合、まずはその注文されたメニュー全てを入力してから後でセットメニューなどをお勧めしたりすることもでき、場合によっては売り上げにも貢献できる。また、注文を入力しようとする時に品切れメニューがあればインデックスが表示されるので入力する前に品切れであることを伝えることが可能となる。日替わりメニューやお勧めメニューなどもその場で確認ができるので、尋ねられても即答できたり、逆にこちらからお勧めメニューなどを伝えることもできる。
【００４４】
ウェイターにとって見れば、メニューを探したりすることの操作に負荷がかからなくなるため、注文を入力することだけに集中せず、客との受け答えに集中することができ、１テーブルの注文を受ける時間も短縮され、その他の業務にすぐに取り掛かることができるようになる。客にとっては瞬時に対応されたり、注文を待たされることもなく、そのレストランやウェイターに対して好感を持たれることになり、サービス向上や集客力アップという効果を有する。
【図面の簡単な説明】
【図１】本発明に係る注文データ管理システムのハードウエア構成を示す図である。
【図２】本発明のタッチパネル付ハンディターミナルの外観イメージ図である。
【図３】本発明のタッチパネル付ハンディターミナル、及び、タッチパネル付据置ターミナルのヘッダ入力画面のイメージである。
【図４】本発明のタッチパネル付ハンディターミナル、及び、タッチパネル付据置ターミナルの注文メニュー入力画面のイメージである。
【図５】本発明のタッチパネル付ハンディターミナル、及び、タッチパネル付据置ターミナルの品切れ残数メニュー一覧画面のイメージである。
【図６】本発明のタッチパネル付ハンディターミナル、及び、タッチパネル付据置ターミナルの注文メニュー確認画面のイメージである。
【図７】本発明のタッチパネル付ハンディターミナル、及び、タッチパネル付据置ターミナルの各機能画面の中のお勧めメニュー一覧画面のイメージである。
【符号の説明】
１　入力端末機としてのタッチパネル付ハンディターミナル
２　入力端末機としてのタッチパネル付据置ターミナル
３　データ制御装置
４　記憶装置
５　無線制御装置
６　タッチパネル付表示装置
７　無線タッチパネル付表示装置
８　出力端末機としての無線レストランプリンタ
９　出力端末機としての有線レストランプリンタ
１０　会計処理を行うＰＯＳ端末機
【図１】
2004127110.tif 000003
【図２】
2004127110.tif 000004
【図３】
2004127110.tif 000005
【図４】
2004127110.tif 000006
【図５】
2004127110.tif 000007
【図６】
2004127110.tif 000008
【図７】
2004127110.tif 000009